(57)【特許請求の範囲】
【請求項１】
上部開口のハカマ部材と、このハカマ部材内に収納された有底の内底面に内側に突出する少なくとも２個以上の係合片が形成され、内壁面に螺旋溝が形成された螺旋部材と、前記ハカマ部材の上部端より上方に突出する部位にキャップ嵌合部を有する該ハカマ部材に嵌合固定された前記螺旋部材の抜け脱を防止するキャップ嵌合部材と、前記螺旋部材内に下端部が挿入され、上端部が前記キャップ嵌合部の上端部よりも上方に突出する該螺旋部材の螺旋溝と対応する部位に軸心方向の切欠部が形成され、下端部に内側に突出する前記係合片と係合するリング状の係止片が形成された筒部材と、この筒部材内に上下移動可能に取付けられた口紅を支持する皿部材と、この皿部材の下端部に下方へ突出するように一体成形された下部外壁面に前記筒部材の切欠部および前記螺旋部材の螺旋溝と係合する係合ピンを有する脚部材とを備えることを特徴とする口紅等の収納容器。
【請求項２】
上部開口のハカマ部材と、このハカマ部材内に収納された有底の内底面に内側に突出する少なくとも２個以上の係合片が形成され、内壁面に螺旋溝が形成された合成樹脂材製の螺旋部材と、前記ハカマ部材の上部端より上方に突出する部位にキャップ嵌合部を有する該ハカマ部材に嵌合固定された前記螺旋部材の抜け脱を防止する金属材製のキャップ嵌合部材と、前記螺旋部材内に下端部が挿入され、上端部が前記キャップ嵌合部の上端部よりも上方に突出する該螺旋部材の螺旋溝と対応する部位に軸心方向の切欠部が形成され、下端部に内側に突出する前記係合片と係合するリング状の係止片が形成された金属材製の筒部材と、この筒部材内に上下移動可能に取付けられた口紅を支持する合成樹脂材製の皿部材と、この皿部材の下端部に下方へ突出するように一体成形された下部外壁面に前記筒部材の切欠部および前記螺旋部材の螺旋溝と係合する係合ピンを有する半円弧状の一対の脚部材とを備えることを特徴とする口紅等の収納容器。
【発明の詳細な説明】
【０００１】
【産業上の利用分野】
本発明は口紅、リップクリーム、スチックアイシャドウ、スチックファンデーション等の棒状製品を収納するハカマ部材内に螺旋部材が収納された口紅等の収納容器に関する。
【０００２】
【従来の技術】
従来、この種の口紅収納容器はハカマ部材と、このハカマ部材内に収納された螺旋溝が形成された螺旋部材と、この螺旋部材内に下回転可能に収納された該螺旋部材の螺旋溝形成部位に軸心方向の切欠部が形成され、上部が螺旋部材の上端部より上方に突出する筒部材と、この筒部材の下端部にロール巻き締めにより固定された外周部が前記螺旋部材の下端部と係止するストッパー片と、前記筒部材内に上下移動可能に取付けられた口紅を支持する皿部材と、この皿部材の下端部より下方に突出し、下部外壁面に前記筒部材の切欠部および前記螺旋部材の螺旋溝と係合する係合ピンを有する脚部材と、前記ハカマ部材の上端部に前記螺旋部材の抜け脱を防止できるように嵌合固定されたキャップ嵌合部材とで構成されている。
【０００３】
【本発明が解決しようとする課題】
従来の口紅収納容器は筒部材の下端部にストッパー片をロール巻き締めにより固定するため、その加工作業に手数がかかるとともに、繰出しの調子を均質にするのが難しいという欠点があった。
【０００４】
本発明は以上のような従来の欠点に鑑み、組付けが容易で、楽にできるとともに、筒部材の抜け脱を確実に防止することができる口紅等の収納容器を提供することを目的としている。
【０００５】
本発明の前記ならびにそのほかの目的と新規な特徴は次に説明を添付図面と照し合せて読むと、より完全に明らかになるであろう。
ただし、図面はもっぱら解説のためのものであって、本発明の範囲を限定するものではない。
【０００６】
【課題を解決するための手段】
上記目的を達成するために、本発明は上部開口のハカマ部材と、このハカマ部材内に収納された有底の内底面に内側に突出する少なくとも２個以上の係合片が形成され、内壁面に螺旋溝が形成された螺旋部材と、前記ハカマ部材の上部端より上方に突出する部位にキャップ嵌合部を有する該ハカマ部材に嵌合固定された前記螺旋部材の抜け脱を防止するキャップ嵌合部材と、前記螺旋部材内に下端部が挿入され、上端部が前記キャップ嵌合部の上端部よりも上方に突出する該螺旋部材の螺旋溝と対応する部位に軸心方向の切欠部が形成され、下端部に内側に突出する前記係合片と係合するリング状の係止片が形成された筒部材と、この筒部材内に上下移動可能に取付けられた口紅を支持する皿部材と、この皿部材の下端部に下方へ突出するように一体成形された下部外壁面に前記筒部材の切欠部および前記螺旋部材の螺旋溝と係合する係合ピンを有する脚部材とで口紅等の収納容器を構成している。
【０００７】
【作用】
上記のように構成された口紅等の収納容器は、筒部材を螺旋部材内に挿入することにより内底面の内側に突出する少なくとも２個以上の係合片が筒部材の下端部のリング状の係止片に係合され、筒部材の抜け脱が阻止されるように組み付けることができる。
【０００８】
【本発明の実施例】
以下、図面に示す実施例により、本発明を詳細に説明する。
【０００９】
図１ないし図７の本発明の第１の実施例において、１は上部が開口した合成樹脂材製のハカマ部材である。
【００１０】
２は前記ハカマ部材１内に収納された合成樹脂材製の螺旋部材で、この螺旋部材２は図３に示すように、有底の筒状で外周部に回動防止用の軸心方向の微小リブ３が形成された螺旋部材本体４と、この螺旋部材本体４の内壁面に形成された螺旋溝５と、前記螺旋部材本体４の内底面に内側に突出するように一体成形された少なくとも２個以上、本実施例では３個の円弧状の先端部が傾斜面に形成された係合片１８、１８、１８とで構成されている。
なお、前記螺旋部材本体４の内底面には係合片１８、１８、１８を形成する場合に透孔６、６、６ができる。
【００１１】
７は前記螺旋部材２内に下端部が回転可能に挿入され、上端部が該螺旋部材２の上部より上方に突出する金属材製の筒部材で、この筒部材７は図４に示すように筒部材本体８と、この筒部材本体８の前記螺旋部材２の螺旋溝５と対応する部位に形成された軸心方向の切欠部９と、前記筒部材本体８の下端部を内側にほぼＬ字状に曲げ形成された前記螺旋部材２の係合片１８、１８、１８と係合するリング状の係止片１０とで構成されている。
【００１２】
１１は前記筒部材７内に上下移動可能に取付けられた、図５に示す合成樹脂材製の口紅１２を支持する皿部材で、この皿部材１１の下端部には下方へ突出する半円弧形状で、両端部寄りの外壁面に摺動リブ１３、１３、１３、３が形成された一対の脚部材１４、１４が一体成形され、該一対の脚部材１４、１４の下端部寄りの外壁面には前記筒部材７の切欠部９および前記螺旋部材２の螺旋溝５と係合する係合ピン１５、１５が形成されている。
【００１３】
１９は前記ハカマ部材１の上部に嵌合固定されたキャップ嵌合部材で、このキャップ嵌合部材１９は図７に示すように、ハカマ部材１の上端開口部より挿入嵌合された、前記螺旋部材２の回動を阻止する嵌合筒２０と、この嵌合筒２０の上部と一体成形された前記ハカマ部材１の上端部より上方に突出し、前記螺旋部材２の上端部と当接して抜け脱を防止するキャップ嵌合部２１とから構成されている。
【００１４】
２２は前記ハカマ部材１の上端部より上方に突出する部位の前記筒部材７を覆う前記キャップ嵌合部材１９のキャップ嵌合部２１と着脱可能に嵌合するキャップである。
【００１５】
上記構成の口紅収納容器２３は筒部材７内に上部より皿部材１１を挿入し、一対の脚部材１４、１４の係合ピン１５、１５を切欠部９、９に係合させる。
しかる後、螺旋部材２の上部より筒部材７を挿入し、螺旋部材２の内底面の係合片１８、１８、１８と筒部材７の係止片１０とを係合させる。
【００１６】
次に筒部材７へ上部よりキャップ嵌合部材１９を挿入し、該キャップ嵌合部材１９をハカマ部材１内に押し込み、嵌合固定される。
【００１７】
このように構成された口紅収納容器２３は、ハカマ部材１と筒部材７とを持って回動させることにより、摺動リブ１３が筒部材７の内壁面と接触し、繰り出しの調子をとるとともに、皿部材１１が係合ピン１５の螺旋溝５と切欠部１９との係合によって上下移動し、筒部材７の上端部より口紅１２を出没させることができる。
【００１８】
【本発明の異なる実施例】
次に図８ないし図１６に示す本発明の異なる実施例につき説明する。なお、これらの本発明の異なる実施例の説明に当って、前記本発明の第１の実施例と同一構成部分には同一符号を付して重複する説明を省略する。
【００１９】
図８ないし図１０の本発明の第２の実施例において、前記本発明の第１の実施例と主に異なる点は筒部材７Ａで、この筒部材７Ａは筒部材本体８の下端部に先端部を下方に折り曲げしたリング状の係止片１０Ａを形成している。このように形成された筒部材７Ａを用いて口紅収納容器２３Ａを構成しても、前記本発明の第１の実施例と同様な作用効果が得られる。
【００２０】
図１１ないし図１３の本発明の第３の実施例において、前記本発明の第１の実施例と主に異なる点は筒部材７Ｂで、この筒部材７Ｂは筒部材本体８の下端部にフランク状に折り曲げ形成したリング状の係止片１０Ｂを形成している。このように形成された筒部材７Ｂを用いて口紅収納容器２３Ｂを構成しても、前記本発明の第１の実施例と同様な作用効果が得られる。
【００２１】
図１４ないし図１６の本発明の第４の実施例において、前記本発明の第１の実施例と主に異なる点は螺旋部材２の係合片１８、１８、１８を形成する場合にできる透孔６、６、６と係合する係合片２４、２４をハカマ部材１Ａの内底部に形成した点で、このように構成することにより、螺旋部材２をハカマ部材１Ａの内壁に固定しなくても螺旋部材２に確実に固定することができる口紅収納容器２３Ｃにすることができる。
【００２２】
【本発明の効果】
以上の説明から明らかなように、本発明にあっては次に列挙する効果が得られる。
【００２３】
（１）上部開口のハカマ部材と、このハカマ部材内に収納された有底の内底面に内側に突出する少なくとも２個以上の係合片が形成され、内壁面に螺旋溝が形成された螺旋部材と、前記ハカマ部材の上部端より上方に突出する部位にキャップ嵌合部を有する該ハカマ部材に嵌合固定された前記螺旋部材の抜け脱を防止するキャップ嵌合部材と、前記螺旋部材内に下端部が挿入され、上端部が前記キャップ嵌合部の上端部よりも上方に突出する該螺旋部材の螺旋溝と対応する部位に軸心方向の切欠部が形成され、下端部に内側に突出する前記係合片と係合するリング状の係止片が形成された筒部材と、この筒部材内に上下移動可能に取付けられた口紅を支持する皿部材と、この皿部材の下端部に下方へ突出するように一体成形された下部外壁面に前記筒部材の切欠部および前記螺旋部材の螺旋溝と係合する係合ピンを有する脚部材とで構成されているので、筒部材の下端部に従来のようにストッパー片をロール巻き締めにより固定しなくても、螺旋部材内に筒部材を押し込むことにより、少なくとも２個以上の係合片とリング状の係止片とを係合させることができる。
したがって、筒部材の加工が容易にできる。
【００２４】
（２）前記（１）によって、筒部材の下端部を螺旋部材の上部より挿入して組付けることができる。
したがって、自動組付けを容易に行なうことができる。
すなわち、従来は筒部材の上部より螺旋部材を挿入しなければならず、挿入する長さが長くなるからである。
【００２５】
（３）前記（１）によって、螺旋部材の上端部をキャップ嵌合部材で抜け脱を防止するとともに、筒部材を該筒部材の下端部のリング状の係止片と螺旋部材の少なくとも２個以上の係合片と係合して抜け脱を防止することができる。
したがって、確実に筒部材の抜け脱を防止することができる。
【００２６】
（４）請求項２も前記（１）〜（３）同様な効果が得られるとともに、一対の脚部材の摺動リブによって効率よく繰り出し時の調子をとることができる。
【図面の簡単な説明】
【図１】本発明の第１の実施例を示す断面図。
【図２】本発明の第１の実施例の要部拡大断面図。
【図３】螺旋部材の説明図。
【図４】筒部材の説明図。
【図５】皿部材の説明図。
【図６】螺旋部材の係合片の説明図。
【図７】キャップ嵌合部材の説明図。
【図８】本発明の第２の実施例を示す断面図。
【図９】本発明の第２の実施例の要部拡大断面図。
【図１０】本発明の第２の実施例の筒部材の説明図。
【図１１】本発明の第３の実施例を示す断面図。
【図１２】本発明の第３の実施例の要部拡大断面図。
【図１３】本発明の第３の実施例の筒部材の説明図。
【図１４】本発明の第４の実施例を示す断面図。
【図１５】本発明の第４の実施例の要部拡大断面図。
【図１６】本発明の第４の実施例の係合片とハカマ部材の係合片との関係を示す説明図。
【符号の説明】
１、１Ａ：ハカマ部材、
２：螺旋部材、
３：微小リブ、
４：螺旋部材本体、
５：螺旋溝、
６：透孔、
７、７Ａ、７Ｂ：筒部材、
８：筒部材本体、
９：切欠部、
１０、１０Ａ、１０Ｂ：係止片、
１１：皿部材、
１２：口紅、
１３：摺動リブ、
１４：脚部材、
１５：係合ピン、
１８：係合片、
１９：キャップ嵌合部材、
２０：嵌合筒、
２１：キャップ嵌合部、
２２：キャップ、
２３、２３Ａ、２３Ｂ、２３Ｃ：口紅収納容器、
２４：係合片。
【図１】
0003552124.tif 000002
【図２】
0003552124.tif 000003
【図３】
0003552124.tif 000004
【図４】
0003552124.tif 000005
【図５】
0003552124.tif 000006
【図６】
0003552124.tif 000007
【図７】
0003552124.tif 000008
【図８】
0003552124.tif 000009
【図９】
0003552124.tif 000010
【図１０】
0003552124.tif 000011
【図１１】
0003552124.tif 000012
【図１２】
0003552124.tif 000013
【図１３】
0003552124.tif 000014
【図１４】
0003552124.tif 000015
【図１５】
0003552124.tif 000016
【図１６】
0003552124.tif 000017